(57)【要約】【課題】光通信技術の発達により、１ファイバ当たりの信号波長数が飛躍的に増加し、全波長を１段の光合波器で合波することが不可能となり、複数の光合波器を用いて順々に合波していく必要が生じたため、受信ＳＮＲの差が大きくなり、光送信器の制御のみではプリエンファシス機能の実現が困難となった。【解決手段】出力パワーの調整機能を有する複数の光合波器を多段で構成する光合波部を有する送信局に、複数の光合波器を用いて順々に合波していく光合波部と光送信部および光合波部の出力パワーを制御する制御手段を与えることにより、プリエンファシス機能を実現する。【選択図】        図１
2005012682.tif 000002
【特許請求の範囲】
【請求項１】
送信信号に基づいて変調される光を発生する光源と該光源からの光出力パワーを調整する第一の調整手段を備えた複数の光送信器と、前記複数の光送信器からの変調された光を合波する光合波器と、該光合波器からの光出力パワーを調整する第二の調整手段を備えた光合波手段が多段で構成される光合波部を備え、送信信号に基づいて変調される光を送信する送信局と、
送信信号に基づいて変調された光を受信し、当該変調された光による信号と雑音との比を測定するための測定器を備えた受信局と、
前記送信局から前記受信局へ送信信号に基づいて変調された光を伝送する光ファイバと、
前記受信局内の測定器にて測定した前記信号と雑音との比に基づき、前記送信局内の光送信器および前記光合波部の光出力パワーの制御を行う制御部と
を備えていることを特徴とする光波長多重伝送システム。
【請求項２】
送信信号に基づいて変調された光と合波するアイドラ光を発生するアイドラ光発生手段を備えることを特徴とする請求項１記載の光波長多重伝送システム。
【発明の詳細な説明】
【０００１】
【発明の属する技術分野】
この発明は、全ての伝送信号の伝送品質の均一化を図るための光波長多重信号を用いた、プリエンファシス機能を有する光波長多重伝送システムに関するものである。
【０００２】
【従来の技術】
従来の光波長多重伝送システムでは、１ファイバ当たりの波長数が少なく送信局内の全ての光送信器の出力を１段の光合波器で光多重を行う構成であった（例えば、特許文献１参照）。
【０００３】
また、プリエンファシス機能においても、光合波部は１段の光合波器で構成されるものであったため、受信局で測定した信号対雑音比（ＳＮＲ：Ｓｉｇｎａｌｔｏ  Ｎｏｉｓｅ  Ｒａｔｉｏ）を基に全波長の光送信器の出力パワーの制御値を一括で求め、各光送信器の出力パワーを調整することによりプリエンファシスの制御を行っていた。
【０００４】
【特許文献１】
特開平８−３２１８２４号公報
【０００５】
【発明が解決しようとする課題】
しかしながら、光通信技術の発達により１ファイバ当たりの信号波長数が飛躍的に増加し、伝送品質の手動での調整が困難になってきている。即ち、信号波長数の増加により全波長を１段の光合波器で合波することが不可能となり、複数の光合波器を用いて順々に合波していく必要が生じ、さらに、１ファイバに多重化する信号波長が広帯域にわたるために伝送により生じる波長特性による影響の差が波長間で大きくなり、従って、受信ＳＮＲの差が大きくなり、光送信器の制御範囲内では調整しきれない状態が生じるという問題が生じている。
【０００６】
また、光送信器の制御範囲内であった場合でも、１回の制御幅が大きくなるために増幅特性や伝送路上での劣化度合いの変化により調整結果に誤差が生じ、このため何度も微調整を繰り返す必要があり、非常に調整時間がかかるという問題が生じている。
【０００７】
さらに、最適な伝送特性を保つためには、送信局の出力パワーを一定に保った状態で伝送路に送出する必要がある。送信局の出力光は、信号光成分と総出力パワーの調整を目的としたピーク波長の存在しないアイドラ光とで構成されている。伝送品質には、出力光の総パワーおよび信号光とアイドラ光の出力パワーの比率が大きく影響を及ぼし、したがって、高い伝送品質を保つためには信号光の各信号波長の出力パワーの制御だけでなく、信号光成分およびアイドラ光の出力パワーの比率も考慮する必要がある。
【０００８】
しかしながら、従来のように個々の光送信器の出力パワーを個別に調整するだけでは信号光成分の出力パワーが変動し、信号光とアイドラ光の比率が崩れ、送信局の出力パワーも変化してしまうために目的とする調整結果が得られないという問題があった。
【０００９】
この発明は上記のような課題を解決するためになされたもので、伝送品質を維持するために自動でプリエンファシスを行う機能を備え、１ファイバ当たりの信号波長数が飛躍的に増加した場合でも、高い伝送品質を保つ光波長多重伝送システムを得ることを目的とする。
【００１０】
【課題を解決するための手段】
この発明に係る光波長多重伝送システムは、送信信号に基づいて変調される光を発生する光源と光源からの光出力パワーを調整する第一の調整手段を備えた複数の光送信器と、複数の光送信器からの変調された光を合波する光合波器と、光合波器からの光出力パワーを調整する第二の調整手段を備えた光合波手段が多段で構成される光合波部を備え、送信信号に基づいて変調される光を送信する送信局と、送信信号に基づいて変調された光を受信し、当該変調された光による信号と雑音との比を測定するための測定器を備えた受信局と、送信局から受信局へ送信信号に基づいて変調された光を伝送する光ファイバと、受信局内の測定器にて測定した信号と雑音との比に基づき、送信局内の光送信器および光合波部の光出力パワーの制御を行う制御部とを備えるものである。
【００１１】
【発明の実施の形態】
この発明の実施の一形態について説明する。
実施の形態１．
この発明の実施の形態１に係る光波長多重伝送システムについて、図１〜図３を参照して説明する。なお、図１は実施の形態１に係るプリエンファシス機能を有する光波長多重伝送システムの構成を示す図であり、図２はこの光波長多重伝送システムの送信局の構成を示す図であり、また、図３はこの光波長多重伝送システムの処理を示すフローチャートである。
【００１２】
実施の形態１に係る光波長多重伝送システムは図１に示すように、Ａ局と同様の機能を有する複数の局が光ファイバで接続されているシステムであって、ここではＡ局とＢ局（Ａ局と同様の構成を備える）の構成とその動作、及びその相互の動作について説明する。なおこの発明は、全体としてＡ局と同様の構成を備える複数の局が任意の組み合わせで接続されるシステムに関している。
【００１３】
Ａ局は送信局１１と受信局１２を備え、送信局１１から相手側（即ちＢ局）の受信局１２に対して、送信信号に基づいて変調された光（以下、適宜、「信号光」と記す）を送る。同様にＢ局の送信局１１からＡ局の受信局１２に信号光が送られる。これら信号光の伝送は光ファイバ１３を介して行われ、光ファイバ１３の途中に信号光を増幅する光増幅器１４と、双方の局（ここではＡ局とＢ局）の動作を制御する制御部１５が備わり、この発明にかかる光波長多重伝送システムが形成される。
【００１４】
送信局１１は、複数の光送信器１と複数の光送信器１からの信号光を合波する光合波部２を備え、光送信器１は送信媒体となる光を発する光源６および光源６からの光出力パワー（以下、単に「出力パワー」と記す）を調整する出力パワー調整器（以下、適宜、「光増幅器」と記す）７を有する。また、光合波部２は、光送信器１から出力される光を合波する光合波器８と、光合波器８から出力される出力パワーを調整する出力パワー調整器９を有する。最終段の出力パワー調整器９から光ファイバ１３に信号光がのせられ、伝送路上で劣化した信号光は光増幅器１４によって増幅され、通信に必要な送信パワーを保ちつつ相手側の局へ送信される。
【００１５】
受信局１２は、光ファイバ１３から送られてくる信号を受信し、光分波する光分波部４と、複数の光受信器３を有し、光分波部４には受信信号のＳＮＲを測定する測定器（光スペクトラムアナライザ）１０を備える。受信局１２では測定器１０によりチャネルごとのＳＮＲを測定し、信号光をチャネルごとに分波して電気信号に変換する。
【００１６】
制御部１５は、光送信器１と光合波部２と光分波部４と通信が可能であり、夫々の光送信器１の出力パワー調整器７と光合波器８の出力パワー調整器９を制御する。また、光分波部４に備え付けられている測定器１０のＳＮＲを読出し、プリエンファシスの設定値を算出する機能を有する。その算出されたプリエンファシス設定値により受信した信号光をチャネルごとに分波して電気信号に変換するように光分波部４を制御する。
即ち、制御部１５によって測定器１０によるＳＮＲの結果に基づき、プリエンファシスの設定値を決定して、出力パワーの制御を自動的に行うことになる。
なお、請求項１に記載の「第一の調整手段」は出力パワー調整器７に対応し、「第二の調整手段」は出力パワー調整器９に対応する。
【００１７】
図２は図１に示す光送信器１、光合波部２からなる送信局１１の詳細な構成例である。
光送信器１は、波長がλ１〜λ１６の１６個の光源６０１〜６１６と、夫々の光源に対応して出力パワーを調整する出力パワー調整器７０１〜７１６を備える。
【００１８】
光合波部２は３段構成であり、その１段目は、光源６０１〜６０４の信号光を合波する光合波器８１１と光合波器８１１から出力する信号光のパワーを調節する出力パワー調整器９１１、光源６０５〜６０８の信号光を合波する光合波器８１２と光合波器８１２から出力する信号光のパワーを調節する出力パワー調整器９１２、光源６０９〜６１２の信号光を合波する光合波器８１３と光合波器８１３から出力する信号光のパワーを調節する出力パワー調整器９１３、光源６１３〜６１６の信号光を合波する光合波器８１４と光合波器８１４から出力する信号光のパワーを調節する出力パワー調整器９１４で構成する。
【００１９】
その２段目は、出力パワー調整器９１１と出力パワー調整器９１２から出力される信号光を合波する光合波器８２１と光合波器８２１から出力する信号光のパワーを調節する出力パワー調整器９２１、出力パワー調整器９１３と出力パワー調整器９１４から出力される信号光を合波する光合波器８２２と光合波器８２２から出力する信号光のパワーを調節する出力パワー調整器９２２で構成する。
【００２０】
その３段目は、出力パワー調整器９２１と出力パワー調整器９２２から出力される信号光を合波する光合波器８３１と光合波器８３１から出力する信号光のパワーを調節する出力パワー調整器９３１で構成する。
【００２１】
次に、この光波長多重伝送システムの動作について図３を参照して説明する。この光波長多重伝送システムは、プリエンファシスの制御値を、測定器１０によるＳＮＲの結果に基づき制御部１５が算出し、図２に示す出力パワー調整器９３１以外の出力パワー調整器を作動させて出力パワーを調整することにより自動プリエンファシス制御機能を実現するものである。なお、以下において出力パワー調整器を適宜、光増幅器と称する。
【００２２】
まず、測定器によって測定された各チャネルの受信端のＳＮＲを取得する（ステップＳＴ１０１）。次に光送信器１の出力パワーを読み出し（ステップＳＴ１０２）、各チャネルの光増幅器の出力パワーを読み出す（ステップＳＴ１０３）。次に制御部において、読み出した夫々の出力パワーに基づいて利得制御係数、パワー分配係数を算出する（ステップＳＴ１０４）。この利得制御係数は各チャネルの信号光パワーを制御するためのものであり、パワー分配係数は光合波器に入力する各チャネルの信号光パワーを、光合波器からの出力パワーを一定に保ちながら分配するためのものである。即ちパワー分配係数に従って各チャネルの光増幅器はその利得制御係数で増幅率が決定され、それに応じた光パワーが出力される。
【００２３】
次に、まず光送信器の出力パワーを任意に設定し（ステップＳＴ１０５）、その光送信器の出力パワーを読み出して（ステップＳＴ１０６）、光合波部１段目の光合波器の出力パワーが規格内であるか否かを判別する（ステップＳＴ１０７）。規格内でないと判別された場合は（ＮＯ）、光送信器の出力パワーの設定値を任意に設定した出力パワーを基にして算出し（ステップＳＴ１０８）、ステップＳＴ１０５に戻って処理を繰り返す。このように繰り返すことで任意に設定した出力パワーを、光合波器の出力パワーが規格内になるように追い込むことになる。
【００２４】
一方、ステップＳＴ１０７で規格内であると判別された場合は（ＹＥＳ）、光合波部の光増幅器のゲインを設定する（ステップＳＴ１０９）。次に光合波部の光増幅器の出力パワーを読み出し（ステップＳＴ１１０）、光合波部２段目以降の光合波器の出力パワーが規格内であるか否かを判別する（ステップＳＴ１１１）。規格内でないと判別された場合は（ＮＯ）、夫々の光合波部の光増幅器の設定値を算出し（ステップＳＴ１１２）、ステップＳＴ１０９に戻って規格内に納まるまで処理を繰り返す。
【００２５】
一方、ステップＳＴ１１１で規格内であると判別された場合は（ＹＥＳ）、受信端の各チャネルのＳＮＲを取得し（ステップＳＴ１１３）、終了条件を満たしているか否かを判別し（ステップＳＴ１１４）、終了条件を満たしていないと判別された場合は（ＮＯ）、ステップＳＴ１０２に戻り処理を繰り返す。一方、終了条件を満たしていると判別された場合は（ＹＥＳ）、終了する。以上説明したようにして、自動的にプリエンファシス制御が行われる。
【００２６】
制御部１５は上述したように、図３の制御フローにしたがって受信局の信号対雑音比（ＳＮＲ）に基づいて算出したパワー分配係数（各チャネルへの光合波器の出力パワーを分配する係数）を用い、夫々の光合波器の出力パワーは、パワー分配係数に基づいて前段の光増幅器により制御された信号光のパワーで形成される。従って、ＳＮＲに基づいてパワー分配をすることにより各光合波器の出力パワーを調整前後で一定に保つことができる。
【００２７】
また、パワー分配により調整を行うことで光合波器の出力パワーが略一定に保たれる場合は、ステップＳＴ１０７、ステップＳＴ１１１の判別による出力パワーのフィードバック調整は必ずしも必要ではない。
【００２８】
図３のステップＳＴ１０４のパワー分配係数の算出は、以下において説明する式（１）〜式（３）で求められる。なお、パワー分配係数とは利得制御係数αｊ×パワー補正係数γｋであり、利得制御係数αｊとパワー補正係数γｋは次のように求められ、従ってパワー分配係数が求められることになる。
各光増幅器ｊに対する利得制御係数αｊは、式（１）で示すように、光増幅器に入力される信号のＳＮＲの逆数の平均で求められる（入力信号数をｎ、波長番号をｉとする）。但し、式中のＳＮＲおよびゲインはすべて真数とし、出力パワーはすべて［ｍＷ］とする。
【数１】
2005012682.tif 000003
【００２９】
式（１）より図２の各光増幅器ｊ（ｊ＝７０１〜７１６、９１１〜９１４、９２１、９２２）に対する利得制御係数αｊは、波長番号ｉ（ｉ  ＝１〜１６）と各波長に対応するＳＮＲｉ（ｉ  ＝１〜１６）によって、つぎの式（２）で求められる。
【数２】
2005012682.tif 000004
【００３０】
光合波器ｋの入力パワーの調整を行う光増幅器ｊの利得制御係数αｊ、出力パワーＰｊ、および光合波器の入力光ごとの挿入損失Ｌｊ（光合波器前段の光増幅器出力から光合波器後段の光増幅器の入力の間で発生するファイバ損失、光合波器挿入損失に起因する入力光ごとの損失）より光合波器のパワー補正係数γｋを算出し、増幅器ｊのゲインＧｊの制御値を式（３）で求める。なお、パワー補正係数γｋとは光合波器の出力パワーを規格内に設定するためのものである。
【数３】
2005012682.tif 000005
【００３１】
挿入損失が一定であり、制御誤差が生じないと仮定した場合には、式（３）より調整後の光増幅器の出力パワーＰ´ｊ＝Ｐｊαｊγｋであり、光合波器の出力パワーＰｋが一定に保たれることは次の式（４）に示すように明らかである。
【数４】
2005012682.tif 000006
【００３２】
式（３）から、図２の各光合波器（ｋ＝８１１〜８１４、８２１、８２２、８３１）に対するパワー補正係数γｋおよび各光増幅器ｊ（ｊ＝７０１〜７１６、９１１〜９１４、９２１、９２２）のゲインＧｊは次の式（５）で求められる。
【数５】
2005012682.tif 000007
【００３３】
図３のステップＳＴ１１４のプリエンファシスの終了判定はＳＮＲの偏差（調整後のＳＮＲの最大値：ｓｎｒＭａｘと最小値：ｓｎｒＭｉｎの比率）と偏差の規格値Ｘ〔ｄＢ〕により、次の式（６）によって行われる。
【数６】
2005012682.tif 000008
式（６）はＳＮＲをデシベル変換した値であり、条件を満たさない場合はステップＳＴ１０２に戻り、再度制御を行う。
【００３４】
フィードバック制御を実施することにより、光増幅器の増幅特性のバラツキなどに起因する制御誤差による光合波器の出力パワーの制御前後の差を小さくすることができる。図３のステップＳＴ１０７およびステップＳＴ１１１にて制御箇所に対するフィードバック制御の可否の判定を各光合波器の制御前の出力パワーｐ、制御後の出力パワーｐ´およびパワー制御規格値Ｙ［ｄＢ〕により、式（７）によって行われる。
【数７】
2005012682.tif 000009
【００３５】
式（７）は出力パワーをデシベル変換した値であり、条件を満たさない場合はステップＳＴ１０８およびステップＳＴ１１２のフィードバック制御を、次の式（８）で算出される制御値で光合波器の各入力信号光に対して行う。ｍ個の信号を合波する光合波器の入力信号光の出力パワーを調整する光増幅器の各ゲインをＧｉ´（ｉ＝１〜ｍ）、光合波器の制御前の出力パワーをＰ、制御後の出力パワーをＰ´とし、各ゲインを同一割合で再制御する。
【数８】
2005012682.tif 000010
フィードバック制御を行うことにより光合波器での挿入損失に誤差が生じた場合でも調整誤差を軽減することができる。
【００３６】
以上説明したように、光合波器の出力を一定に保ちながら各チャネルのパワー分配を調整をすることで、各光増幅器の制御幅は増幅する波長の平均受信ＳＮＲとそれらを合波する光合波器の平均受信ＳＮＲの差程度となり、光送信器の出力パワーのみを調整する方法に比べ、光送信器や光合波部の光増幅器の制御範囲が小さくなる。
【００３７】
また、光増幅器の調整値を小さくすることで調整値が調整能力を超えることがなくなり、さらに増幅特性の変化による調整誤差を小さくすることができるので、光合波器の段数程度の繰り返しでプリエンファシスを行い、自動的に最適なプリエンファシス設定値を得ることができる。
【００３８】
実施の形態２．
この発明の実施の形態２に係る光波長多重伝送システムについて、図４を参照して説明する。なお、図４はこの実施の形態２に係る光波長多重伝送システムの、信号光に重畳するアイドラ光がある場合の送信局の構成を示す図である。この実施の形態２は最適な伝送特性を保つために、送信局の出力光を信号光成分と総出力パワーの調整を目的としたピーク波長の存在しないアイドラ光を用いるものである。
【００３９】
実施の形態２に係る光波長多重伝送システムは図４に示すように、実施の形態１、および図２に示す光波長多重伝送システムに、アイドラ光発生装置２０を備えたものであり、アイドラ光発生装置２０からのアイドラ光は最終段の光合波器８３１で信号光と合波される。その他の構成と働きは実施の形態１で説明したことと同様であり、省略する。
【００４０】
次に、動作について説明する。
プリエンファシスは、図４に示すアイドラ光の出力パワーの調整を行う光増幅器９２３および最終段の光増幅器９３１以外の、光増幅器７０１〜７１６、９１１〜９１４、９２１、９２２の出力パワーの調整、即ち、信号光の出力パワーの調整により行う。
【００４１】
このとき、光合波器８１１〜８１４、８２１、８２２、８３１の出力パワーを調整前後で変化しないように制御しつつ、受信局の測定器１０で求められたＳＮＲに基づいて求められるパワー分配係数に応じて、前段の各チャネルの信号光のパワーの分配を、図３のフローチャートにしたがい、実施の形態１で説明したことと同様に行う。
【００４２】
アイドラ光発生装置２０からのアイドラ光の出力パワーの調整は行わないため、信号光の総出力パワー、即ち、光合波器８３１の出力パワーの信号光成分を一定に保ちながら調整することで、信号光とアイドラ光のパワーの比率を保つことができ、実施の形態１と同様の調整方法でプリエンファシスを行うことができる。ここで、信号光とアイドラ光のパワーの比率をより厳密に保つためには、図３のステップＳＴ１０７、ステップＳＴ１１１の判定による出力パワーの調整を行う必要がある。
【００４３】
図３のステップＳＴ１０４のパワー分配係数の算出は以下のように求められる。各増幅器ｊに対する利得制御係数αｊは、実施の形態１と同様に式（１）により光増幅器に入力される信号のＳＮＲの逆数の平均として求められる。
【００４４】
式（１）より図４の各光増幅器ｊ（ｊ＝７０１〜７１６、９１１〜９１４、９２１、９２２）に対する利得制御係数αｊは、波長番号ｉ（ｉ  ＝１〜１６）と各波長に対応するＳＮＲｉ（ｉ  ＝１〜１６）によって、上述した式（２）で求められる。
【００４５】
光合波器ｋの入力パワーの調整を行う光増幅器ｊの利得制御係数αｊ、出力パワーＰｊ、および光合波器の入力光ごとの挿入損失Ｌｊ（光合波器前段の光増幅器出力から光合波器後段の光増幅器の入力の間で発生するファイバ損失、光合波器挿入損失に起因する入力光ごとの損失）より、式（３）によって光合波器のパワー補正係数γｋを算出し、増幅器ｊのゲインＧｊの制御値を求める。このとき、アイドラ光を合波する光合波器８３１に関してはアイドラ光の出力パワーは無視して求めるものとする。
【００４６】
式（３）より、図４に示す各光合波器（ｋ＝８１１〜８１４、８２１、８２２、８３１）に対するパワー補正係数および各光増幅器ｊ（ｊ＝７０１〜７１６、９１１〜９１４、９２１、９２２）のゲインＧｊは、上述した式（５）で求められる。
【００４７】
図３のステップＳＴ１１４のプリエンファシスの終了判定はＳＮＲの偏差（調整後の受信ＳＮＲの最大値：ｓｎｒＭａｘと最小値：ｓｎｒＭｉｎの比率）と偏差の規格値Ｘ〔ｄＢ〕により、式（６）によって行われる。式（６）はＳＮＲをデシベル変換した値であり、条件を満たさない場合はステップＳＴ１０２に戻り、再度制御を行う。
【００４８】
各光合波器の出力パワーは制御前と制御後で等しくなる必要があるため、図３のステップＳＴ１０７およびステップＳＴ１１１において制御箇所に対するフィードバック制御の可否の判定を、光合波器の制御前の出力パワーｐ、制御後の出力パワーｐ´およびパワー制御規格値Ｙ〔ｄＢ〕により、式（７）によって行われる。
【００４９】
式（７）は出力パワーをデシベル変換した値であり、条件を満たさない場合はステップＳＴ１０８およびステップＳＴ１１２のフィードバック制御を式（８）で算出される制御値で光合波器の各入力信号に対して行う。式（７）にて用いる光合波器の制御前の出力パワーｐ、制御後の出力パワーｐ´には次の式（９）で算出した出力パワーのデシベル表現を用いても良い。
【数９】
2005012682.tif 000011
以上説明したように、フィードバック制御を行うことにより光合波器での挿入損失に誤差が生じた場合でも調整誤差を軽減することができる。
【００５０】
光合波器の信号光成分の出力パワーを一定に保ちつつ制御を行うため、信号光成分の出力パワーが変動しないのでアイドラ光出力パワーの調整、即ち、光増幅器９３１の制御をする必要はなく、そのため、信号光とアイドラ光のパワーの比率を崩すことなく、また送信局の出力パワーも一定に保ったままで調整することが可能となる。したがって、信号光の送出力パワーの変動により生じる調整誤差の問題を解消することができる。
【００５１】
【発明の効果】
以上のように、この発明によれば、個々の光合波器の出力パワーが制御可能であり多段で構成されている光合波部、プリエンファシス制御機能を有する制御部を特徴とした送信局を有する合波波長数の多いシステムにおいてもプリエンファシス機能を備えることが可能となり、調整に有する時間を短縮することができる効果がある。
【００５２】
この発明によれば、最適な伝送特性を保つために、送信局の出力光を信号光成分と総出力パワーの調整を目的としたピーク波長の存在しないアイドラ光を用いた場合でもアイドラ光自体の調整を行う必要がなくアイドラ光なしの場合と同様にプリエンファシスの実施が可能となる効果がある。
【図面の簡単な説明】
【図１】この発明の実施の形態１に係るプリエンファシス機能を有する光波長多重伝送システムの構成を示す図である。
【図２】実施の形態１に係る光波長多重伝送システムの送信局の構成を示す図である。
【図３】実施の形態１に係る光波長多重伝送システムの処理を示すフローチャートである。
【図４】この発明の実施の形態２に係る光波長多重伝送システムのアイドラ光がある場合の送信局の構成を示す図である。
【符号の説明】
１  光送信器、２  光合波部、３  光受信器、４  光分波部、６，６０１〜６１６  光源、７，９，７０１〜７１６，９１１〜９１４，９２１，９２２，９２３，９３１  出力パワー調整器（光増幅器）、８，８１１〜８１４，８２１，８２２，８３１  光合波器（光合波手段）、１０  測定器、１１  送信局、１２  受信局、１３  光ファイバ、１４  光増幅器、１５  制御部（調整手段）、２０アイドラ光発生装置（アイドラ光発生手段）。
【図１】
2005012682.tif 000012
【図２】
2005012682.tif 000013
【図３】
2005012682.tif 000014
【図４】
2005012682.tif 000015